(57)【要約】【課題】空中放電および沿面放電の発生を防止できるカナル式イヤホンを提供する。【解決手段】スピーカ５を収容する前ケース１および後ケース１７の嵌合部の長さを長くし、前記前ケース１および前ケース１に嵌着されるイヤーチップ２で形成する音孔を長くし、前記後ケース１７のケーブル挿通孔が形成される首形状部１７ａの長さを長くすることにより、空中放電の放電経路並びに空中放電と沿面放電とで形成される放電経路とを１０ｍｍ以上とした。【選択図】図１
2010278842.tif 000002
【特許請求の範囲】
【請求項１】
ケース内部にスピーカを備えるカナル型イヤホンにおいて、
前記カナル型イヤホンの外観表面と前記スピーカの金属部分との間に形成される空中放電または沿面放電の経路を放電経路としたとき、
前記スピーカを収容する前ケースと後ケースとの嵌合部に形成される前記放電経路の長さと、
前記後ケースとコードを保持するブッシュとの嵌合部に形成される前記放電経路の長さと、
前記ブッシュ内のケーブル挿入孔に形成される前記放電経路の長さと、
前記後ケースに設けられた空気孔から前記スピーカの金属部分までの前記放電経路の長さとが、
それぞれ１０ｍｍ以上となるようにしたカナル型イヤホン。
【請求項２】
前ケースおよび後ケースの外観表面にメッキを施していない請求項１に記載のカナル型イヤホン。
【請求項３】
前ケースおよび後ケースを嵌合させてスピーカを収容するスピーカ収容空間を形成し、前記前ケースにパッド部を装着するパッド式イヤホンにおいて、
前記前ケースの中心部に中心閉塞部を形成し、
前記中心閉塞部の周囲に複数の外部挿通孔を形成し、
前記中心閉塞部の周縁から前記スピーカ収容空間方向に延びる切り欠きが設けられた円筒形状リブを立設し、
前記前ケースとスピーカとの間に介装される音道絞り部品の中心部の縁を前記中心閉塞部の面に近接させ、
前記スピーカの金属部分とパッド部との間で形成される空中放電または沿面放電とで形成される放電経路を１０ｍｍ以上としたパッド式イヤホン。
【請求項４】
前記パッド式イヤホンの外観表面と前記スピーカの金属部分との間に形成される空中放電または沿面放電の経路を放電経路としたとき、
前記スピーカを収容する前ケースおよび後ケースの嵌合部に形成される前記放電経路の長さと、
前記後ケースとコードを保持するブッシュとの嵌合部に形成される前記放電経路の長さと、
前記ブッシュ内のケーブル挿入孔に形成される前記放電経路の長さとが、
それぞれ１０ｍｍ以上となるようにした請求項３に記載のパッド式イヤホン。
【請求項５】
ケース内部にスピーカを備えるパッド式イヤホンにおいて、
スピーカを収容する前ケースと後ケースの嵌合部にスリットを設けることで、前記ケース内部と前記ケース外部との空気孔を形成する請求項４に記載のパッド式イヤホン。
【請求項６】
前ケースおよび後ケースの外観表面にメッキを施していない請求項３から５のいずれかに記載のパッド式イヤホン。
【発明の詳細な説明】
【技術分野】
【０００１】
この発明はイヤホンに係わり、特に、その静電気放電防止手段に関する。
【背景技術】
【０００２】
従来のイヤホンの例を図６および図７により説明する。図６は従来のイヤホンの例を示す分解斜視図、図７は同イヤホンの放電箇所を示す斜視図であり、図７（ａ）は前側から見た斜視図、図７（ｂ）は後側から見た斜視図である。
【０００３】
このイヤホンは耳穴へ入れるインナー式イヤホンであり、前ケース１０３と後ケース１０４を嵌合部１０４ｃで嵌合させてケーブル１０２が接続されたスピーカ１０１を収容している。この前ケース１０３を耳穴入口位置に配置し、スピーカ１０１から発音する音が前ケース１０３の音道１０３ａを通して耳に伝えられる状態として使用される。
【０００４】
乾燥期に衣服との摩擦等で発生し人体に蓄積された静電気はグランドレベルの電位を有する電子機器の導体部との間の電位差が放電開始電位差となると放電する。放電には放電経路が空気中である空中放電と放電経路が誘電体（絶縁体）の表面に沿う沿面放電があるが、同じ放電開始電位差で比較すると、沿面放電の沿面距離の方が空中放電の空間距離よりも大きい。
【０００５】
上記した図６および図７に示したイヤホンの場合、人体からスピーカ１０１の金属部またはケーブル１０２の半田付け部に放電されるが、その放電経路としては耳から前ケース１０３の音道１０３ａを通してスピーカ１０１へ放電される空中放電や、後ケース１０４にメッキが施されている場合、メッキ１０４ｂを手で触れたときのメッキを経由したスピーカ１０１の金属部への空中放電や、後ケース１０４の空気孔１０４ａまたはケーブル挿通孔１０４を手で触れたときのスピーカ１０１の金属部への空中放電や、後ケース１０４の嵌合部１０４ｃを手で触れたときのスピーカ１０１の金属部への沿面放電が生じる。
【０００６】
そして、この従来のスピーカでは空中放電の空間距離や沿面放電の沿面距離を大きくする対策が取られていないので人体からの放電が発生しやすく、放電が発生した場合は、不快感、痛みや、火傷に近い症状を生じる場合があった。
【０００７】
特開昭６２−９１１００号公報に開示された電気音響変換器はハンドセットの受話部である。その例を図８に示す。図８に示すスピーカ２３１は、振動子２３５の前側に前面ケース２３８、仕切板２３２および被取付体（ハンドセット）２３３が重ねられている。そして、振動子２３５の上下には夫々前気室２３６および後気室２３７が形成され、半導体回路２３４が振動子２３５に接続されている。
【０００８】
この電気音響変換器では前面ケース２３８、仕切板２３２および被取付体２３３に夫々設けられた音孔２３９、音孔２４０および音孔２４１の位置をずれた位置としている。人体からスピーカ２３１またはその半田付け部に放電するときの空中放電の空間距離は夫々の音孔を通るために斜め方向となり長くなる。
【０００９】
上記特開昭６２−９１１００号公報に開示された電気音響変換器では空中放電の経路が斜めとなるだけであるため、スピーカ２３１と被取付体２３３との距離が短いパッド式イヤホンでは十分な空間距離とすることが困難である。または、十分な空間距離とするためにイヤホンの厚み方向寸法を大きくすることになり、商品が大型化し重量が大きくなるという問題があった。また、沿面放電に対する対策が取られていなかった。
【先行技術文献】
【特許文献】
【００１０】
【特許文献１】特開昭６２−９１１００号公報、明細書第２〜３頁、第１図
【発明の概要】
【発明が解決しようとする課題】
【００１１】
この発明は上記した点に鑑みてなされたものであって、その目的とするところは、空中放電および沿面放電の発生を防止できるパッド式イヤホンおよびカナル式イヤホンを提供することにある。
【課題を解決するための手段】
【００１２】
この発明のカナル型イヤホンは、ケース内部にスピーカを備えるカナル型イヤホンにおいて、前記カナル型イヤホンの外観表面と前記スピーカの金属部分との間に形成される空中放電または沿面放電の経路を放電経路としたとき、
前記スピーカを収容する前ケースと後ケースとの嵌合部に形成される前記放電経路の長さと、前記後ケースとコードを保持するブッシュとの嵌合部に形成される前記放電経路の長さと、前記ブッシュ内のケーブル挿入孔に形成される前記放電経路の長さと、
前記後ケースに設けられた空気孔から前記スピーカの金属部分までの前記放電経路の長さとが、それぞれ１０ｍｍ以上となるようにしたものである。
【００１３】
また、前記カナル型イヤホンにおいて、前ケースおよび後ケースの外観表面にメッキを施していないものである。
【００１４】
この発明のパッド式イヤホンは、前ケースおよび後ケースを嵌合させてスピーカを収容するスピーカ収容空間を形成し、前記前ケースにパッド部を装着するパッド式イヤホンにおいて、前記前ケースの中心部に中心閉塞部を形成し、前記中心閉塞部の周囲に複数の外部挿通孔を形成し、前記中心閉塞部の周縁から前記スピーカ収容空間方向に延びる切り欠きが設けられた円筒形状リブを立設し、前記前ケースとスピーカとの間に介装される音道絞り部品の中心部の縁を前記中心閉塞部の面に近接させ、前記スピーカの金属部分とパッド部との間で形成される空中放電または沿面放電とで形成される放電経路を１０ｍｍ以上としたものである。
【００１５】
また、前記パッド式イヤホンにおいて、前記パッド式イヤホンの外観表面と前記スピーカの金属部分との間に形成される空中放電または沿面放電の経路を放電経路としたとき、前記スピーカを収容する前ケースおよび後ケースの嵌合部に形成される前記放電経路の長さと、前記後ケースとコードを保持するブッシュとの嵌合部に形成される前記放電経路の長さと、前記ブッシュ内のケーブル挿入孔に形成される前記放電経路の長さとが、それぞれ１０ｍｍ以上となるようにしたものである。
【００１６】
また、前記パッド式イヤホンにおいて、ケース内部にスピーカを備えるパッド式イヤホンにおいて、スピーカを収容する前ケースと後ケースの嵌合部にスリットを設けることで、前記ケース内部と前記ケース外部との空気孔を形成するものである。
【００１７】
また、前記各パッド式イヤホンにおいて、前ケースおよび後ケースの外観表面にメッキを施していないものである。
【発明の効果】
【００１８】
この発明のイヤホンによれば、人体に触れても静電気の放電が発生しないので使用者に不快感を与えない。
【図面の簡単な説明】
【００１９】
【図１】この発明の実施例１であるカナル式イヤホンを半分切り欠いて示す断面図である。
【図２】同カナル式イヤホンを半分切り欠いて示す分解斜視図である。
【図３】この発明の実施例２であるパッド式イヤホンを半分切り欠いて示す断面図である。
【図４】同パッド式イヤホンを示す分解斜視図である。
【図５】同パッド式イヤホンを半分切り欠いて示す分解斜視図である。
【図６】従来のイヤホンの例を示す分解斜視図である。
【図７】同イヤホンの放電箇所を示す斜視図であり、図７（ａ）は前側から見た斜視図、図７（ｂ）は後側から見た斜視図である。
【図８】従来のハンドセット受話部の他の例を示す断面図である。
【発明を実施するための形態】
【００２０】
以下この発明を実施するための形態を実施例に即して説明する。
【実施例１】
【００２１】
図１はこの発明の実施例１であるカナル（音孔）式イヤホンを半分切り欠いて示す断面図、図２は同カナル式イヤホンを半分切り欠いて示す分解斜視図である。図１または図２に示す前ケース１、後ケース１７、樹脂ホルダ２８は絶縁体の剛体構造部材であり、合成樹脂により成形されている。イヤーチップ２は軟質絶縁体で形成されている。
【００２２】
そして、後ケース１７と前ケース１とが嵌合部１７ｅ、１ａで嵌合されて形成された内部空間内に、樹脂ホルダ２８に嵌合されたスピーカ金属部（ヨーク）６が前ケース１に保持された状態で収容されている。なお、後ケース１７と前ケース１の外面には静電放電防止のためメッキが施されていない。
【００２３】
また、後ケース１７の首形状部１７ａ内部に形成されたブッシュ部品差込孔１７ｃにゴム製のブッシュ部品２２が嵌入され、ブッシュ部品２２のケーブル通し孔２２ｂを挿通するケーブル１９の先端部の被覆が剥がされた導体暴露部１９ａは基板パッド部２９に半田付けされている。
【００２４】
前ケース１の入口縁にはナイロン製の防塵ネット３が付設されており、防塵ネット３後方の前ケース１に囲まれた空間に消音用スポンジ４が詰められている。なお、図では消音用スポンジを描かず、消音用スポンジ４が詰められた空間に符号を付している。
【００２５】
このカナル式イヤホンの放電経路が図１に矢印Ａ〜Ｆで示され、放電経路構成部が図２に放電経路の矢印Ａ〜Ｆに対応するように点線で囲まれた部分の符号ａ〜ｆで示されている。
【００２６】
放電経路Ａは空気および防塵用ネット３、消音用スポンジ４を通りスピーカ金属部６に至る空中放電の経路であるが、スピーカの音道側に樹脂ホルダ２８を採用することで、音道長さが従来品と同等で、放電経路Ａを１０ｍｍ以上の長さとすることができる。
【００２７】
放電経路Ｂはイヤーチップ２のスカート部下縁からスカート部内部および後ケース１７の空気孔５を通りスピーカ金属部６に至る空中放電および沿面放電の経路であるが、この経路はヘアピン形に折り返されているので放電経路Ｂを１０ｍｍ以上の長さとすることができる。
【００２８】
放電経路Ｃは嵌合部１ａ、１７ｅを通り基板パッド部２９またはスピーカ金属部６に至る沿面放電および空中放電の経路であるが、嵌合部１ａ、１７ｅを長くすることにより放電経路Ｃを１０ｍｍ以上の長さとすることができる。
【００２９】
放電経路Ｄは後ケース１７に設けられた空気孔１７ｂを通り導体暴露部１９ａに至る沿面放電および空中放電の経路であるが、この経路は空気孔１７ｂを長くすることにより放電経路Ｄを１０ｍｍ以上の長さとすることができる。
【００３０】
放電経路Ｅは後ケース１７のブッシュ部品差込孔１７ｃに接触するブッシュ部品２２との接着部１７ｄの沿面放電および空中放電の経路であるが、ブッシュ部品差込孔１７ｃを長くすることにより放電経路Ｅを１０ｍｍ以上の長さとすることができる。
【００３１】
放電経路Ｆはケーブル１９とブッシュ部品２２のケーブル通し孔２２ａおよび後ケース１７の孔との間を通り基板パッド部２９または導体暴露部１９ａに至る沿面放電および空中放電の経路であるが、この経路は後ケース１７の首形状部１７ａ及びブッシュ２２のケーブル通し孔２２ａを長くすることにより放電経路Ｆを１０ｍｍ以上の長さとすることができる。
【００３２】
上記のように構成した実施例１のカナル式イヤホンのケーブル１９の先端に接続したプラグをグランド接続して静電サージ試験機で＋１０ｋＶ／−１０ｋＶの電圧をイヤホンの外面に印加しても放電が発生しなかった。
【００３３】
また、イヤホンを人体に装着して静電サージ試験機で＋１０ｋＶ／−１０ｋＶの電圧をプラグに印加しても放電痛を感じなかった。
【実施例２】
【００３４】
図３はこの発明の実施例２であるパッド式イヤホンを半分切り欠いて示す断面図、図４は同パッド式イヤホンを示す分解斜視図、図５は同パッド式イヤホンを半分切り欠いて示す分解斜視図である。
【００３５】
図３、図４または図５に示す前ケース９、後ケース２０は、絶縁体の剛体構造部材であり、合成樹脂により成形されている。音道絞り部品１０は軟質絶縁体で形成されている。そして、後ケース２０と前ケース９とが嵌合部２０ｃ、９ｆで嵌合されて形成された内部空間内に、前ケース９に嵌合されたスピーカ金属部８が収容されている。なお、後ケース２０と前ケース９の外面には静電放電防止のためメッキが施されていない。そして、前ケース９の前面側はスポンジ状のイヤーパッド７で覆われている。
【００３６】
また、後ケース２０の首形状部２０ａ内部に形成されたブッシュ部品差込孔２０ｂにゴム製のブッシュ部品２２が嵌入され、ブッシュ部品２２のケーブル通し孔２２ａを挿通するケーブル１９の先端部の被覆が剥がされた導体暴露部１９ａは基板パッド部２９に半田付けされている。
【００３７】
前ケース９の円筒形リブの外面には図４に示すように、空気孔の機能を有するスリット９ｃ、９ｃ…が等間隔に形成され、さらに、前ケース９の前面中心部には図５に示す孔のない円板形状の中心閉塞部９ｂが形成されている。中心閉塞部９ｂの周囲には図５に示す６か所の切り欠き９ｅ、９ｅ…により部分円筒形状に分割されたリブが後ケース２０方向に延びるように立設されている。また、中心閉塞部９ｂの外側には外部挿通孔９ａ、９ａが等間隔に複数個設けられている。
【００３８】
音道絞り部品１０の中心には円筒内面を形成する中心孔１０ａが形成されており、中心孔１０ａの縁は前ケース９の中心閉塞部９ｂの平面に近接している。
【００３９】
このパッド式イヤホンの放電経路が図３に矢印Ｇ〜Ｊで示され、放電経路構成部が図４および図５に放電経路の矢印Ｇ〜Ｊに対応するように点線で囲まれた部分の符号ｇ〜ｊで示されている。
【００４０】
放電経路Ｇはスポンジ状のイヤパッド７を通り、前ケース９の外部挿通孔９ａ、９ａ…を通り前ケース９と音道絞り部品１０との間の空間９ｄの周囲面、切り欠き９ｅ、音道絞り部品１０の中心孔１０ａ内面を通りスピーカ金属部６に至る沿面放電および空中放電の経路であるが、この経路は前ケース９と音道絞り部品１０との間で向きが反対方向となるように折り返されており、耳を覆う部分の厚みを薄くしても放電経路Ｇを１０ｍｍ以上の長さとすることができる。
【００４１】
放電経路Ｈは前ケース９と後ケース２０嵌合部９ｆ、２０ｃから前ケース９の内部側に入り込みスピーカ金属部８に至る空中放電および沿面放電の経路であるが、この経路は前ケース９の円筒形リブの前後で向きが反対方向となるように折り返されており、放電経路Ｈを１０ｍｍ以上の長さとすることができる。また、前ケース９にスリット９ｃを設けることで、スピーカ後方側の空気孔の機能が得られる。
【００４２】
放電経路Ｉはケーブル１９または導体暴露部１９ａとブッシュ部品２２のケーブル通し孔２２ａおよび後ケース２０の孔との間を通り基板パッド部２９に至る沿面放電および空中放電の経路であるが、この経路は後ケース２０の首形状部２０ａの長さを長くすることにより放電経路Ｉを１０ｍｍ以上の長さとすることができる。
【００４３】
放電経路Ｊは後ケース２０に設けられたブッシュ部品差込孔２０ｂに接触するブッシュ部品２２との接触部から基板パッド部２９または導体暴露部１９ａに至る沿面放電および空中放電の経路であるが、ブッシュ部品差込孔２０ｂを長くすることにより放電経路Ｊを１０ｍｍ以上の長さとすることができる。
【００４４】
上記のように構成した実施例２のパッド式イヤホンのケーブル１９の先端に接続したプラグをグランド接続して静電サージ試験機で＋１０ｋＶ／−１０ｋＶの電圧をイヤホンの外面に印加しても放電が発生しなかった。
【００４５】
また、イヤホンを人体に装着して静電サージ試験機で＋１０ｋＶ／−１０ｋＶの電圧をプラグに印加しても放電痛を感じなかった。
【産業上の利用可能性】
【００４６】
この発明のイヤホンは、人体に触れても静電気の放電が発生しないので使用者に不快感を与えず、音響機器に好適に利用することができる。
【符号の説明】
【００４７】
１  前ケース、１ａ  嵌合部
２  イヤーチップ
３  防塵用ネット
４  消音用スポンジ
５  空気孔
６  スピーカ金属部（ヨーク）
７  イヤーパッド
８  スピーカ金属部
９  前ケース、９ａ  外部挿通孔、９ｂ  中心閉塞部、９ｃ  スリット、９ｄ  空間
９ｅ  切り欠き、９ｆ  嵌合部
１０  音道絞り部品、１０ａ  中心孔
１７  後ケース、１７ａ  首形状部、１７ｂ  空気孔、１７ｃ  ブッシュ部品差込孔
１７ｄ  接着部、１７ｅ  嵌合部
１９  ケーブル、１９ａ  導体暴露部
２０  後ケース、２０ａ  首形状部、２０ｂ  ブッシュ部品差込孔、２０ｃ  嵌合部
２２  ブッシュ部品、２２ａ  ケーブル通し孔、２２ｂ  ケーブル通し孔入口
２８  樹脂ホルダ
２９  基板パッド部
Ａ、Ｂ、Ｃ、Ｄ、Ｅ、Ｆ、Ｇ、Ｈ、Ｉ、Ｊ  放電径路
ａ、ｂ、ｃ、ｄ、ｅ、ｆ、ｇ、ｈ、ｉ、ｊ  放電径路構成部
１０１  スピーカ
１０２  ケーブル
１０３  前ケース、１０３ａ  音道穴、
１０４  後ケース、１０４ａ  空気孔、１０４ｂ  メッキ、１０４ｃ  嵌合部
１０４ｄ  ケーブル挿通孔
２３１  スピーカ
２３２  仕切板
２３３  被取付体（ハンドセット）
２３４  半導体回路
２３５  振動子
２３６  前気室
２３７  背気室
２３８  前面ケース
２３９  音孔
２４０  音孔
２４１  音孔
【図１】
2010278842.tif 000003
【図２】
2010278842.tif 000004
【図３】
2010278842.tif 000005
【図４】
2010278842.tif 000006
【図５】
2010278842.tif 000007
【図６】
2010278842.tif 000008
【図７】
2010278842.tif 000009
【図８】
2010278842.tif 000010